(57)【要約】  【課題】取り扱い性及び安全性に優れ、家具の一部としての用途にも適したプラスチック中空板を提供する。  【解決手段】中空構造のプラスチック板本体２と、プラスチック板本体２の開放された端部を形成する各一辺の全域又は略全域を封止可能な略直線状の線状封止体３と、隣り合う線状封止体３の端部間に、これら端部同士を接続し得る状態で配されるコーナー接続体４とを具備してなり、各線状封止体３及び各コーナー接続体４として、外面部３３、コーナー外面部４４に、それぞれ厚み方向に広がりを有する部分円弧状のアール部３ａ、第１コーナーアール部４ａを有するものを適用した。【選択図】図１
2009045220.tif 000002
【特許請求の範囲】
【請求項１】
概略方形状をなす中空構造のプラスチック板本体と、
当該プラスチック板本体の開放された端部を形成する各一辺の全域又は略全域を封止可能な略直線状をなす線状封止体と、
隣り合う前記線状封止体の端部間に、これら端部同士を接続し得る状態で配されるコーナー接続体とを具備してなり、
前記各線状封止体及び各コーナー接続体の外面部に、厚み方向に広がりを有する部分円弧状のアール部を形成していることを特徴とするプラスチック中空板。
【請求項２】
前記各線状封止体及び各コーナー接続体が、厚み方向に沿った両端部にそれぞれ前記アール部を備えたものである請求項１記載のプラスチック中空板。
【請求項３】
前記各線状封止体及び各コーナー接続体が、厚み方向に沿った略全域に前記アール部を備えたものである請求項１記載のプラスチック中空板
【請求項４】
前記コーナー接続体が、面方向に広がりを有する部分円弧状の第２アール部を備えたものである請求項１、２又は３記載のプラスチック中空板。
【請求項５】
前記プラスチック板本体が複数又は単一のシート材から形成されるものであり、前記アール部の曲率半径及び前記シート材の厚み寸法を式〔１〕を満たす値に設定している請求項１、２、３又は４記載のプラスチック中空板。
ｒ≧ｔ・・・式〔１〕
ここで、ｒ：アール部の曲率半径、
ｔ：シート材の厚み寸法
である。
【請求項６】
前記第２アール部の曲率半径及び前記プラスチック板本体の厚み寸法を式〔２〕を満たす値に設定している請求項４記載のプラスチック中空板。
Ｒ≧Ｔ・・・式〔２〕
ここで、Ｒ：第２アール部の曲率半径、
Ｔ：プラスチック板本体の厚み寸法
である。
【請求項７】
前記線状封止体のうち長手方向に直交する方向に沿った寸法及び前記プラスチック板本体の厚み寸法を式〔３〕を満たす値に設定している請求項１、２、３、４、５又は６記載のプラスチック中空板。
Ｗ≧Ｔ・・・式〔３〕
ここで、Ｗ：線状封止体のうち長手方向に直交する方向に沿った寸法、
Ｔ：プラスチック板本体の厚み寸法
である。
【請求項８】
前記線状封止体に第１係合部を設け、前記コーナー接続体に前記第１係合部に係合可能な第２係合部を設けている請求項１、２、３、４、５、６又は７記載のプラスチック中空板。
【請求項９】
前記線状封止体及び前記コーナー接続体が中空状のものである請求項１、２、３、４、５、６、７又は８記載のプラスチック中空板。
【請求項１０】
概略方形状をなす中空構造のプラスチック板本体の端部を封止する際に適用されるプラスチック中空板の端部処理方法であり、
前記プラスチック板本体の端部を形成する各辺に、厚み方向に広がりを有する部分円弧状のアール部を外面部に有し、且つ前記各辺と略同一の長手寸法を有する線状封止体を接着する工程と、
これら各線状封止体を接着した後、又は接着する前段階において、隣り合う前記線状封止体の端部間に、前記アール部と同形状のアール部を外面部に有するコーナー接続体を取り付ける工程とを経ることによって、
前記プラスチック板本体の開放された端部を封止し、且つ端部全域に丸みを帯びさせることを特徴とするプラスチック中空板の端部処理方法。
【発明の詳細な説明】
【技術分野】
【０００１】
本発明は、プラスチック板本体の開放された端部を封止してなるプラスチック中空板、及びプラスチック中空板の端部処理方法に関するものである。
【背景技術】
【０００２】
従来より、軽量性や剛性に優れたプラスチック中空板は、建築材料や自動車の内装材など、種々の用途で活用されている。
【０００３】
ところで、このようなプラスチック中空板は、これまで端部を切りっ放しにしたものが通例であったため、用途によっては端部が開放されていることによる不都合、例えば水に関係して使用される場合に端部から内部に水が入るという不都合が生じていた。
【０００４】
そこで、このような不都合を解消すべく、近年、中空構造のプラスチック板本体の端部を封止してなるプラスチック中空板が考案、開発され、既に商品化されているものもある。
【０００５】
なお、本発明、及び本明細書において、「プラスチック板本体」とは、「プラスチック気泡ボード」、「プラスチック段ボール」、及び「プラスチック折り畳みハニカムボード」、これら全てを包含する概念である。
【０００６】
「プラスチック気泡ボード」とは、例えばポリプロピレン等の樹脂をダイから溶融した状態で押し出したシートに、多数のキャップ状の突起を真空成形し、このキャップシートの底面と頂面にそれぞれ平坦なバックシート及びライナーシートを融着させて中空構造の板としてなる成形品をいう。また、「プラスチック段ボール」とは、プラスチックの溶融押し出しにより形成された２枚のシートとそれらを連結して平行に走る多数のリブとからなる成形品をいう。また、「プラスチック折り畳みハニカムボード」とは、プラスチックシートに所定ピッチで垂直方向の部分を与え、長手方向に順次折り重ねることによって形作られるハニカム構造を有する成形品をいう。
【０００７】
出願人は、例えば下記特許文献１に示すように、プラスチックチック板本体の縁部とその外側を両面から押さえ板で規制しつつ、プラスチック板本体の厚み寸法に等しい幅をもったプラスチックの化粧帯を縁部に当て、その外側から金属製の当て板を当てるとともに、当て板を介して背後からヒーターで加熱して化粧帯を縁部に融着させることによって端部を封止したプラスチック中空板とする態様や、下記特許文献２に示すように、プラスチック中空板の縁部近傍部位を軟化させて押しつぶすことによって端部を封止する態様、あるいは下記特許文献３に示すように、プラスチック板本体の端部の全体を覆う寸法形状のプラスチックのテープを融着させることによって端部を封止したプラスチック中空板とする態様を発明している。
【特許文献１】特開２００３―６２９１７号公報
【特許文献２】特開２００５―３５０７１号公報
【特許文献３】特開２００６―３４６９０４号公報
【発明の開示】
【発明が解決しようとする課題】
【０００８】
しかしながら、特許文献１や特許文献３に開示した態様は、プラスチックの化粧帯又はテープで封止した端面がプラスチック板本体の面方向に略直交する垂直な面となるため、プラスチック中空板の端部全域に鋭利な角部が形成されることとなり、このようなプラスチック中空板を取り扱う際に注意を払う必要があった。特に、水に関係して使用する場合にはプラスチック中空板自体又はプラスチック中空板自体を把持する手が濡れることによって滑り易く、取り扱いに尚一層の注意が必要であった。
【０００９】
一方、特許文献２に開示した態様は、プラスチック中空板の端部全域に押し潰された凸部が形成され、やはり取り扱いの便を損なうものであった。
【００１０】
さらに、特許文献１や特許文献３に示す態様は、端部の垂直な面に外部から強い衝撃を受けた場合に、化粧帯又はテープがプラスチック中空板本体から剥がれるおそれがあり、端部の脆弱化を招来し得るものであった。
【００１１】
このような不具合により、従来のプラスチック中空板は、例えば浴槽用の蓋や、テーブルやデスクの天板等に代表される日常の生活に密着した家具の一部としての用途には不適切な面があった。
【００１２】
本発明は、このような課題に着目してなされたものであって、主たる目的は、取り扱い性及び安全性に優れ、家具の一部としての用途にも適したプラスチック中空板を提供すること、また、鋭利な角部が形成されないプラスチック中空板の端部処理方法を提供することにある。
【課題を解決するための手段】
【００１３】
すなわち、本発明のプラスチック中空板は、概略方形状をなす中空構造のプラスチック板本体と、当該プラスチック板本体の開放された端部を形成する各一辺の全域又は略全域を封止可能な略直線状をなす線状封止体と、隣り合う前記線状封止体の端部間に、これら端部同士を接続し得る状態で配されるコーナー接続体とを具備してなり、前記各線状封止体及び各コーナー接続体の外面部に、厚み方向に広がりを有する部分円弧状のアール部を形成していることを特徴とする。
【００１４】
このようなものであれば、線状封止体によってプラスチック板本体の開放された端部を封止するため、プラスチック板本体の内部に水や埃が進入することを防止することができるとともに、プラスチック板本体の端部を包囲する各線状封止体及び各コーナー接続体の外面部に、厚み方向に広がりを有する部分円弧状のアール部を形成しているため、プラスチック中空板が、端部全域に丸みを帯びたものとなり、従来のものと比較して取り扱い性、及び安全性に優れ、鋭利な角部が形成される従来品では適用が困難であった浴槽用の蓋や、テーブル等の天板付き家具の天板等、生活に密着した家具の一部としての用途にも適したものとなる。しかも、厚み方向に広がりを有する部分円弧状のアール部によって、プラスチック中空板の端部の良好な剛性を確保することができる。また、線状封止体及びコーナー接続体が樹脂製であれば、プラスチック中空板全体の重量化を回避することが可能である。
【００１５】
線状封止体及びコーナー接続体の好適な実施態様としては、厚み方向に沿った両端部にそれぞれ前記アール部を備えたものや、厚み方向に沿った略全域に前記アール部を備えたものが挙げられる。
【００１６】
特に、前記コーナー接続体が、面方向（換言すれば、厚み方向に直交する方向）に広がりを有する部分円弧状の第２アール部を備えたものであれば、プラスチック中空板の隅部も丸みを帯びた形状となり、ハンドリング性がなお一層向上する。
【００１７】
また、前記プラスチック板本体が複数又は単一のシート材から形成されるものである場合、前記各アール部の曲率半径ｒ及び前記シート材の厚み寸法ｔを、〔ｒ≧ｔ〕を満たす値に設定する態様が好ましい。
【００１８】
さらに、前記第２アール部の曲率半径Ｒ及び前記プラスチック板本体の厚み寸法Ｔを、〔Ｒ≧Ｔ〕を満たす値に設定することが望ましい。
【００１９】
加えて、前記線状封止体のうち長手方向に直交する方向に沿った寸法Ｗ及び前記プラスチック板本体の厚み寸法Ｔを、〔Ｗ≧Ｔ〕を満たす値に設定していることが好ましい。
【００２０】
このような相対関係を満たす値に設定することにより、各アール部及び第２アール部が直線状に限りなく近くなることを回避することができ、プラスチック中空板の端部を、適切な丸みを帯びたものとすることが可能である。
【００２１】
線状封止体とコーナー接続体とを一体的に組み付けるには、前記線状封止体に第１係合部を設け、前記コーナー接続体に第１係合部に係合可能な第２係合部を設け、これら係合部同士を相互に係合させる態様とすればよい。
【００２２】
さらに、前記線状封止体及び前記コーナー接続体が中空状のものであれば、プラスチック中空板全体の軽量化を図ることができる。
【００２３】
また、本発明に係るプラスチック中空板の端部処理方法は、概略方形状をなす中空構造のプラスチック板本体の端部を封止する際に適用されるものであり、前記プラスチック板本体の端部を形成する各辺に、厚み方向に広がりを有する部分円弧状のアール部を外面部に備え、且つ前記各辺と略同一の長手寸法を有する線状封止体を接着する工程と、これら各線状封止体を接着した後、又は接着する前段階において、隣り合う前記線状封止体の端部間に、前記アール部と同形状のアール部を外面部に有するコーナー接続体を取り付ける工程とを経ることによって、前記プラスチック板本体の開放された端部を封止し、且つ端部全域に丸みを帯びさせることを特徴とする。
【００２４】
ここで、「接着する」とは、「各母材を溶剤によって溶かした状態で相互に接触させることによりくっつける」、又は「接着剤を媒介にして部材同士をくっつける」、或いは「各部材を熱によって溶かした状態で相互に接触させることによりくっつける」、これら何れの態様をも含む概念である。
【００２５】
このような端部処理方法であれば、簡単な手順で端部を封止処理したプラスチック中空板を形作ることができるとともに、端部全域が丸みを帯びた形状なることにより、取り扱い性及び安全性に優れたプラスチック中空板となり、家具の一部としての用途にも適したものとなる。
【発明の効果】
【００２６】
以上説明したように本発明によれば、鋭利な角部が形成されず、取り扱い性及び安全性に優れ、家具の一部としての用途にも適したプラスチック中空板、及びプラスチック中空板の端部処理方法を提供することができる。
【発明を実施するための最良の形態】
【００２７】
以下、本発明の一実施形態を、図面を参照して説明する。
【００２８】
プラスチック中空板１は、図１に示すように、概略方形状のプラスチック板本体２と、プラスチック板本体２の開放された端部を形成する各一辺の全域又は略全域を封止可能な略直線状をなす樹脂製の線状封止体３と、隣り合う線状封止体３の端部間に、これら端部同士を接続し得る状態で配される樹脂製のコーナー接続体４とを備えたものである。
【００２９】
本実施形態では、プラスチック板本体２として、「プラスチック気泡ボード」を適用している。このプラスチック板本体２は、図２に示すように、多数のキャップ状の突起を有するキャップシート２１と、キャップシート２１を挟むように底面側及び頂面側に配される平坦なバックシート２２及びライナーシート２３とを一体的に備えた３層状のものである。プラスチック板本体２は、製造工程において適宜の寸法に裁断されるため、端部は開放されている。
【００３０】
次に線状封止体３及びコーナー接続体４について説明する。なお、線状封止体３及びコーナー接続体４を説明するにあたって以下に用いる「内方端」及び「基端」とは「相対的にプラスチック板本体２の端部に近い方の端」を指し、「外方端」及び「先端」とは「相対的にプラスチック板本体２の端部から遠い方の端」を指す。
【００３１】
線状封止体３は、図３〜図５に示すように、内方端部をプラスチック板本体２の端部に突き当てた状態で接合可能なものであり、外方端部に厚み方向に広がりを有する部分円弧状のアール部３ａを形成したものである。本実施形態の線状封止体３は、中空状をなし、プラスチック板本体２の端部に接合した状態においてプラスチック板本体２の表面（ライナーシート２３）と略面一をなす表面部３１と、プラスチック板本体２の裏面（バックシート２２）と略面一をなす裏面部３２と、表面部３１及び裏面部３２の外方端同士を接続する外面部３３とを備えたものである。この線状封止体３は、外面部３３のうち、表面部３１との境界近傍領域、及び裏面部３２との境界近傍領域に、それぞれ厚み方向に広がりを有する部分円弧状のアール部３ａを形成している（図４及び図５参照）。さらに、線状封止体３の長手方向両端部に、長手方向へ開放された開口部を閉塞し得る閉塞部３４を設け、各閉塞部３４にそれぞれ第１係合部３５を設けている。本実施形態では、第１係合部３５を、線状封止体３の長手方向に突出させた第１凸部３５ａと凹没させた第１凹部３５ｂとによって構成している。本実施形態の第１凹部３５ｂは、閉塞部３４の厚み方向に貫通させた孔である。本実施形態では、線状封止体３として、射出成形による樹脂製の一体品を適用している。
【００３２】
コーナー接続体４は、図６及び図７に示すように、面方向に広がりを有する部分円弧状の第２コーナーアール部４ｂ（本発明の「第２アール部」に相当）を備えた概略扇状（より具体的には４分の１円弧状）をなすものである。このコーナー接続体４は、中空状をなし、線状封止体３の端部に連結した状態において線状封止体３の表面部３１と略面一をなすコーナー表面部４１と、線状封止体３の裏面部３２と略面一をなすコーナー裏面部４２と、コーナー表面部４１及びコーナー裏面部４２の縁部のうち辺部分同士を接続し、線状封止体３の端部（具体的には閉塞部３４）と対面し得る一対の対面部４３と、コーナー表面部４１及びコーナー裏面部４２の縁部のうち円弧状部分同士を接続するコーナー外面部４４とを備えたものである。そして、コーナー外面部４４のうち、コーナー表面部４１との境界近傍領域、及びコーナー裏面部４２との境界近傍領域に、それぞれ線状封止体３のアール部３ａと同形状の第１コーナーアール部４ａを形成している（図７参照）。さらに、各対面部４３に、線状封止体３の第１係合部３５に係合可能な第２係合部４５を設けている。本実施形態では、第２係合部４５を、前記第１凸部３５ａに係合可能な第２凹部４５ａと、前記第１凹部３５ｂに係合可能な第２凸部４５ｂとによって構成している。本実施形態の第２凹部４５ａは、対面部４３の厚み方向に貫通させた孔である。本実施形態では、コーナー接続体４として、射出成形による一体品を適用している。
【００３３】
本実施形態では、アール部３ａ及び第１コーナーアール部４ａの各曲率半径をｒとした場合、これら曲率半径ｒとプラスチック板本体２を構成する各シート材（キャップシート２１、バックシート２２、ライナーシート２３）の厚み寸法ｔ（図２参照）の相対関係を、以下の式〔１〕満たす関係に設定している。
ｒ≧ｔ・・・式〔１〕
また、第２コーナーアール部４ｂの曲率半径をＲとした場合、この曲率半径Ｒとプラスチック板本体２の厚み寸法Ｔ（図２参照）との相対関係を、以下の式〔２〕を満たす関係に設定している。
Ｒ≧Ｔ・・・式〔２〕
さらに、線状封止体３のうち長手方向に直交する方向（換言すれば短寸方向）に沿った寸法Ｗ（図３参照）と、プラスチック板本体２の厚み寸法Ｔとの相対関係を、以下の式〔３〕を満たす関係に設定している。
Ｗ≧Ｔ・・・式〔３〕
次に、本実施形態に係るプラスチック中空板１の組立手順について説明する。
【００３４】
先ず、プラスチック板本体２の端部、及び線状封止体３の基端部を接着する。プラスチック板本体２の端部と線状封止体３の基端部との接着方法としては、プラスチック板本体２の端部及び線状封止体３の基端部を溶剤によって溶かした状態で相互に接触させることによりくっつける態様や、接着剤を媒介にしてプラスチック板本体２の端部と線状封止体３の基端部とをくっつける態様、或いは、プラスチック板本体２の端部及び線状封止体３の基端部を熱によって溶かした状態で相互に接触させることによりくっつける態様が挙げられる。これらのうちから適宜選択した接着方法により、プラスチック板本体２の端部である各辺にそれぞれ線状封止体３が一体的に接合される。なお、接着する際には、線状封止体３をプラスチック板本体２の端部に向かって押圧することが好ましく、本実施形態では、図８及び図９に示すように、線状封止体３をプラスチック板本体２の端部に向かって移動させることにより、線状封止体３をプラスチック板本体２の端部に押圧して、線状封止体３をプラスチック板本体２の端部に固着するようにしている。なお、本実施形態の線状封止体３は、表面部３１及び裏面部３２の基端部位をそれぞれ他の部位よりも肉厚に設定し、接着時の押圧力に耐え得るようにしている。
【００３５】
そして、線状封止体３を接着した後、又は接着する前段階において、隣り合う線状封止体３の端部間に、コーナー接続体４を取り付ける。この取付作業は、線状封止体３の端部（具体的には閉塞部３２４）に設けた第１係合部３５とコーナー接続体４の対面部４３に設けた第２係合部４５とを相互に係合させることによって行う。
【００３６】
なお、コーナー接続体４の対をなす対面部４３のうち、一方の対面部４３にのみ第２係合部４５を設け、この第２係合部４５と線状封止体３の端部に設けた第１係合部３５とを凹凸係合させるとともに、他方の対面部４３を線状封止体３の端部に他の手段、例えば上述した各種接着（溶剤を利用した接着、接着剤を利用した接着、熱融着）により一体的に接合する態様としても構わない。この場合、線状封止体３のうち、他方の対面部４３に対面する端部には第１係合部を設けなくてもよい。
【００３７】
また、組付手順として、プラスチック板本体２の各辺に全ての線状封止体３を接合する前に、対向する線状封止体３同士の組み合わせのうち、一方の組を、プラスチック板本体２の対向する辺にそれぞれ接合し、次いで、両端部に予めコーナー接続体４を取り付け他方の組の線状封止体３を、プラスチック板本体２の残りの辺にそれぞれ接合することによって、隣り合う線状封止体３の端部間にコーナー接続体４を配するようにしてもよい。或いは、予め線状封止体３の端部同士をコーナー接続体４に取り付けて方形状の枠体を組み立てた後に、線状封止体３の基端部をプラスチック板本体２の各辺に接合するようにしてもよい。
【００３８】
以上の手順を経て、プラスチック板本体２の開放された端部を封止体３によって封止してなるプラスチック中空板１は、端部が封止されたものであるため、内部に水や埃が浸入することを防止することができるとともに、封止された端部全域がアール部３ａ、第１コーナーアール部４ａによって丸みを帯びたものとなり、さらに四隅も、第２コーナーアール部４ｂによって丸みを帯びたものとなるため、プラスチック中空板の端部全域に鋭利な角部が形成される従来のものと比較して取り扱い性に優れ、これまでに着目されてきたプラスチック中空板の特性、すなわち軽量性、剛性に加えて、安全性をも兼ね備えたものとなり、汎用的利用が可能となる。
【００３９】
このような利点を有するプラスチック中空板１は、例えば浴槽用の蓋として適用することができる。浴槽用の蓋として適用した場合、プラスチック板本体２内部への水の進入を防止することができるのはもちろんのこと、濡れた手でプラスチック中空板１の端部を把持しようとした際に手が滑ったとしても、鋭利な角部によって手や指に裂傷を負うという事態を回避することができるとともに、プラスチック中空板１を誤って足の上に落とした場合であっても、プラスチック中空板１のうち足に触れる部分が丸みを帯びた部分であれば、やはり鋭利な角部によって足に裂傷を負うという事態を回避することができ、安全性及び実用性に富むものとなる。
【００４０】
また、このようなプラスチック中空板１は、上述した浴槽用の蓋の他、例えば、テーブルやデスクの天板（一例としてコタツの天板）に適用することも可能である。天板の端部は略鉛直な面で形成されているのが通例であるが、本実施形態に係るプラスチック中空板１は、端部全域が丸みを帯びたものであるため、従来の天板と比較して、安全性に優れたものとなる。またその軽量性ゆえに、天板を支持する支持構造体（具体的にはコタツ本体）に布団を敷く、或いは敷いた布団を片付ける際に、天板を簡単に持ち上げることができ、作業性に資する。なお、プラスチック中空板１を天板として適用する場合、プラスチック中空板１の裏面部に、当該裏面部と当該裏面部に接する部材（例えば天板を支持する支持構造体）との間に摩擦抵抗を生じさせるための摩擦抵抗部を設けておくことにより、天板が不用意に滑ることを防止することができる。
【００４１】
このように、本実施形態に係るプラスチック中空板１は、線状封止体３及びコーナー接続体４によってプラスチック板本体２の端部を包囲して封止する枠体を構成し、各線状封止体３及び各コーナー接続体４の外面部３３、４４に、それぞれ厚み方向に広がりを有する部分円弧状のアール部３ａ、第１コーナーアール部４ａを形成しているため、プラスチック中空板１の端部全域に鋭利な角部が形成されることがなく、従来のものと比較して取り扱い性及び安全性に優れ、これまでのプラスチック中空板では適用が困難であった、浴槽用の蓋やテーブルの天板等に代表される日常の生活に密着した家具の一部として適用することが可能となり、汎用性に富むものとなる。
【００４２】
しかも、厚み方向に広がりを有するアール部３ａ、第１コーナーアール部４ａによって、プラスチック中空板１の端部の良好な剛性を確保することができるとともに、端部全体が丸みを帯びたものとなることにより、プラスチック中空板１の外観の向上をも有効に図ることができる。さらに、コーナー接続体４によって隣り合う線状封止体３の端部間に形成される隙間を詰めてなる本実施形態に係るプラスチック中空板１は、単体ごとにモジュール化することによって、互換性を確保することもできる。
【００４３】
特に、コーナー接続体４が、面方向に広がりを有する部分円弧状の第２コーナーアール部４ｂを備えたものであるため、コーナー接続体４自体に、第２コーナーアール部４ｂと第１コーナーアール部４ａとからなる３次元的な丸みを帯びさせることができ、ハンドリング性及び安全性がなお一層向上するとともに、このようなコーナー接続体４によって隣り合う線状封止体３の端部同士を接続した場合、一方の線状封止体３の端部と他方の線状封止体３の端部とがコーナー接続体４を介して曲線状に連続しているようになり、外観向上にも資する。
【００４４】
さらに、線状封止体３とコーナー接続体４とが相互に別体をなすものであり、線状封止体３の一方に第１係合部３５を設け、コーナー接続体４に第１係合部３５に係合可能な第２係合部４５を設けているため、これら係合部（第１係合部３５、第２係合部４５）同士を相互に係合させるという簡単な作業によって線状封止体３とコーナー接続体４とを一体的に組み付けることができる。
【００４５】
殊に、アール部３ａ及び第１コーナーアール部４ａの各曲率半径ｒ、第２コーナーアール部４ｂの曲率半径Ｒ、線状封止体３の短寸方向に沿った寸法Ｗを、それぞれ上記式〔１〕、式〔２〕、式〔３〕を満たす値に設定しているため、各アール部３ａ、３２ａ、３２ｂが直線に限りなく近い形状となることを回避し、プラスチック中空板１の端部全域に適切な丸みを帯びさせることができる。
【００４６】
線状封止体３及びコーナー接続体４が中空状のものであるため、プラスチック板本体２自体の軽量性を大きく妨げることがなく、プラスチック中空板１全体の軽量化を図ることができる。
【００４７】
また、本実施形態に係るプラスチック中空板１の端部処理方法は、プラスチック板本体２の端部を形成する各辺に、厚み方向に広がりを有する部分円弧状のアール部３ａを外面部３３に有し、且つ各辺と略同一の長手寸法を有する線状封止体３を接着する工程と、これら各線状封止体３を接着した後、又は接着する前段階において、隣り合う線状封止体３の端部間に、アール部３ａと同形状の第１コーナーアール部４ａをコーナー外面部４４に有するコーナー接続体４を取り付ける工程とを経ることによって、プラスチック板本体２の開放された端部を封止し、且つ端部全域に丸みを帯びさせるようにしているため、簡単な手順で端部を封止処理したプラスチック中空板１を形作ることができるとともに、上述したように端部全域を、丸みを帯びた形状とすることにより、取り扱い性、及び安全性に優れたプラスチック中空板１となり、家具の一部としての用途にも適したものとなる。
【００４８】
なお、本発明は、以上に詳述した実施形態に限られるものではない。
【００４９】
例えば、図１０及び図１１に示すように、線状封止体Ｘ３１及びコーナー接続体Ｘ３２が、厚み方向に沿った略全域にアール部Ｘ３１ａ、第１コーナーアール部Ｘ３２ａを備えたものであってもよい。なお、図１０、図１１に示す線状封止体Ｘ３１及びコーナー接続体Ｘ３２のうち、前記実施形態に対応する部位には、頭に「Ｘ」、「Ｙ」を付して同じ符号を付している。
【００５０】
また、図１２に示すように、中空状の線状封止体Ｙ３が、表面部Ｙ３１と裏面部Ｙ３２との基端部（内方端部）近傍部位同士を接続する内方起立部Ｙ３６を備えたものであってもよい。これにより、中空状の線状封止体でありながら、長手方向全域に亘る基端部側の強度を有効に高めることができる。なお、図１２では、厚み方向に沿った略全域にアール部Ｙ３ａを有する線状封止体Ｙ３を例示したが、前記実施形態に示す線状封止体（厚み方向に沿った両端部にそれぞれアール部を備えたもの）に、内方起立部を設ける態様としても勿論構わない。もちろん、線状封止体のうち長手方向に沿って開放された両端部に前記閉塞部を設けるとともに、上述の内方起立部も設けた態様としてもよい。
【００５１】
前記実施形態及び図１０〜図１２では、中空状の線状封止体及びコーナー接続体を示したが、線状封止体及びコーナー接続体として、それぞれ中実のブロック状のものを適用してもよい。
【００５２】
また、等断面形状を有する長尺の線状封止体を予め用意しておき、現場や製造ラインでの組立工程等において、プラスチック板本体の辺の長さに応じて線状封止体を所定寸法に裁断するという態様を採用してもよい。このようなものであれば、あらゆるサイズのプラスチック板本体の辺の長さにも対応することができる。この場合、切断した線状封止体の両端部又は何れか一方の端部に、第１係合部を設ければよい。なお、線状封止体が中空状のものであれば、切断した両端部に前記実施形態で述べた閉塞部を設ければ、この閉塞部を利用して第１係合部を設けることができる。
【００５３】
また、第１係合部を、単一の第１凸部又は単一の第１凹部によって構成する一方、第２係合部を第１凸部に係合可能な単一の第２凹部、又は第１凹部に係合可能な単一の第２凸部によって構成してもよい。また第１係合部と第２係合部との係合を確実に期すべく、一方の係合部としてフック孔を適用するとともに、他方の係合部としてフック孔に弾性係合可能なフック爪を適用しても構わない。また、第１係合部及び第２係合部として、相互に係合可能な面ファスナを適用してもよい。
【００５４】
また、前記実施形態では、線状封止体が中空状のものである場合、両端部に設けた閉塞部に第１係合部を形成した態様を例示したが、線状封止体として、表面部、裏面部、外面部、又は内方起立部に第１係合部を形成しても構わない。この場合、表面部、裏面部、外面部、又は内方起立部のうち、第１係合部を形成する部位の厚み寸法を他の部位の厚み寸法よりも大きく設定しておけば、第１係合部（特に凸部）自体の強度、ひいては組付強度の向上に資する。
【００５５】
また、線状封止体とコーナー接続体との接合を上述した接着のみによって行う態様としてもよく、その場合には、線状封止体及びコーナー接続体として、前記第１係合部及び前記第２係合部をそれぞれ備えていないものを適用すればよい。
【００５６】
さらに、線状封止体及びコーナー接続体の各外面部の形状として、厚み方向に広がりを有する部分円弧状のアール部を３以上設けた略波形状を採用してもよい。
【００５７】
また、線状封止体の長手寸法が、プラスチック板本体の辺よりも若干大きい又は小さい場合には、その誤差を、コーナー接続体のうち、線状封止体の端部に対面し得る対面部を、線状封止体の端部側へ突出させる、又は窪ませることによって吸収し得るように設定してもよい。
【００５８】
図１では、略正方形状のプラスチック板本体を例示しているが、略長方形状等、他の四角形状のプラスチック板本体を適用しても構わない。この場合、各線状封止体の長手寸法を、プラスチック板本体の各辺に対応する長さに設定すればよい。
【００５９】
プラスチック板本体として、「プラスチック気泡ボード」に替えて、前述の「プラスチック段ボール」、又は「プラスチック折り畳みハニカムボード」を適用しても勿論構わない。
【００６０】
その他、各部の具体的構成についても上記実施形態に限られるものではなく、本発明の趣旨を逸脱しない範囲で種々変形が可能である。
【図面の簡単な説明】
【００６１】
【図１】本発明の一実施形態に係るプラスチック中空板の全体図を模式的に示す図。
【図２】同実施形態におけるプラスチック板本体の一部を模式的に示す図。
【図３】同実施形態における線状封止体を一部省略して模式的に示す図。
【図４】図３のＡ方向矢視図。
【図５】図３のＢ―Ｂ線断面図。
【図６】同実施形態におけるコーナー接続体を模式的に示す図。
【図７】図６のＣ方向矢視図。
【図８】本発明の一実施形態に係るプラスチック中空板の端部処理方法を説明するための図。
【図９】図８の次工程を模式的に示す図。
【図１０】同実施形態に係る線状封止体の一変形例を図４に対応して示す図。
【図１１】同実施形態に係るコーナー接続体の一変形例を図７に対応して示す図。
【図１２】同実施形態に係る線状封止体の他の変形例を図４に対応して示す図。
【符号の説明】
【００６２】
１…プラスチック中空板
２…プラスチック板本体
３、Ｘ３、Ｙ３…線状封止体
３ａ、Ｘ３ａ、Ｙ３ａ…アール部
３３、Ｘ３３、Ｙ３…外面部
３５…第１係合部
４…コーナー接続体
４ａ…アール部（第１コーナーアール部）
４ｂ…第２アール部（第２コーナーアール部）
４３…対面部
４４…外面部（コーナー外面部）
４５…第２係合部
【図１】
2009045220.tif 000003
【図２】
2009045220.tif 000004
【図３】
2009045220.tif 000005
【図４】
2009045220.tif 000006
【図５】
2009045220.tif 000007
【図６】
2009045220.tif 000008
【図７】
2009045220.tif 000009
【図８】
2009045220.tif 000010
【図９】
2009045220.tif 000011
【図１０】
2009045220.tif 000012
【図１１】
2009045220.tif 000013
【図１２】
2009045220.tif 000014